(57)【要約】      （修正有）【課題】洗濯後の衣類を新品の風合いに近い状態に復元させた衣類を提供する。【解決手段】風合い加工助剤を含む水性の繊維加工助剤３３が、洗濯後の衣類３２の繊維３４内に毛細管現象により浸透して、該繊維３４を構成する高分子物質３５に吸着され、繊維３４の芯３６を形成している。【選択図】図１
0003204255.tif 000002
【実用新案登録請求の範囲】
【請求項１】
風合い加工助剤を含む水性の繊維加工助剤が、洗濯後の衣類の繊維内に毛細管現象により浸透して、該繊維を構成する高分子物質に吸着され、繊維の芯を形成してなることを特徴とする、洗濯後の衣類を新品の風合いに近い状態に復元させた衣類。
【請求項２】
前記衣類は、背広、ズボン、セータ、ワイシャツ、ブラウス、スカート、ワンピース、コート、スーツ又はドレスを含む、請求項１に記載の、洗濯後の衣類を新品の風合いに近い状態に復元させた衣類。
【考案の詳細な説明】
【技術分野】
【０００１】
本考案は一般に衣類に関するものであり、より特定的には、洗濯後の衣類を新品購入時の風合いに近い状態に復元させた衣類に関する。
【背景技術】
【０００２】
衣類にはそもそも繊維が持つ特性に加え、風合いを良くするために、精錬過程でさまざまな加工がなされる。衣類の風合いとは、手触りのことで、具体的には、肉がある（重厚さ、繊維に重さ）、嵩高い（ふんわりする）、張り、腰がある（曲げ戻りがよい、シャキッとしている）、ドレープ性がある（しなやか）などの触感をいう。
【０００３】
さて、従来、家庭では、図６に示すように、アイロン台１の上で、スチームアイロン２を用いて洗濯後の衣類３にアイロンがけが行なわれているが、シワとりや洗濯時の生地の乱れを洗濯前の状態に復元させようとすることのみが行われ、従来のアイロン掛けでは、新品購入時の風合いを取り戻すことは難しいというのが実情であった。プロのドライクリーニングでは、洗濯後、油性のシリコンソフター、油性の光沢出し助剤、油性の風合い出し助剤、張りを持たせる油性の加工助剤を用いて、風合いを復元させている。
【考案の概要】
【考案が解決しようとする課題】
【０００４】
しかし、家庭では、そのような油性の加工助剤を用いるドライクリーニング技術を日常生活の中で採用することは技術的にも経済的にも困難である。
【０００５】
このような問題点に鑑み、考案者は鋭意研究を行った結果、風合いが損なわれる原因は、繰り返しの洗濯によって、精練時に衣類の繊維に付着していた繊維加工助剤が除去されるためであることを見出し、本考案に到達した。
【０００６】
すなわち、本考案は、洗濯後の衣類を新品の風合いに近い状態に復元させた衣類を提供することを目的とする。
【課題を解決するための手段】
【０００７】
本考案は、洗濯後の衣類を新品の風合いに近い状態に復元させた衣類に係り、風合い加工助剤を含む水性の繊維加工助剤が、洗濯後の衣類の繊維内に毛細管現象により浸透して、該繊維を構成する高分子物質に吸着され、繊維の芯を形成してなることを特徴とする。
【０００８】
風合い加工助剤を含む水性の繊維加工助剤が、上記衣類の繊維内に毛細管現象により浸透して、該繊維を構成する高分子物質に吸着され、繊維の芯を形成しているので、繊維の精練時の加工状態が復元され、風合いが復元する。
【０００９】
このように風合いが復元した状態にするには、まず風合い加工助剤を含む水性の繊維加工助剤の水溶液を洗濯後の衣類に吹き付けて完全乾燥させる。繊維加工助剤は熱を加えることにより効力が増すことから、アイロン掛け時にその効力が現れる。その効力はバキュウム力により、衣類をアイロン台に吸着させて、スチームアイロン掛けを行うことにより著しく現れる。バキュウム力を使わずに単にアイロン掛けを行うことよりも、バキュウム力を用いることで優れた効果が現れることが確認された。繊維加工助剤が毛細管現象により深く繊維内に浸透するためである。水性の繊維加工助剤を用いるので、家庭内で容易に実現できる。
【００１０】
水性の風合い加工助剤は、非イオン活性剤（乳化剤）、変質シリコン樹脂エマルジョン、飽和炭化水素、炭化水素化合物、その他、水を含む。風合い加工助剤の他に、消臭剤、抗菌剤、全体の色合い、色むらを整える調色助剤、キーピングなどを含めてもよい。
【００１１】
上記衣類は例えば背広、ズボン、セータ、ワイシャツ、ブラウス、スカート、ワンピース、コート、スーツ、ドレスなどである。
【考案の効果】
【００１２】
本考案に係る洗濯後の衣類を新品の風合いに近い状態に復元させた衣類によれば、風合い加工助剤を含む水性の繊維加工助剤が、洗濯後の衣類の繊維内に毛細管現象により浸透して、該繊維を構成する高分子物質に吸着され、繊維の芯を形成するので、肉があり、嵩高く、張り、腰があり、ドレープ性があるなどの、新品購入時の風合いが復元する。
【図面の簡単な説明】
【００１３】
【図１】（Ａ）は実施例に係る新品購入時の風合いを復元させた衣類の正面図、（Ｂ）は図１（Ａ）におけるＢ部を拡大した概念図である。
【図２】（Ａ）は洗濯後の衣類に風合い加工助剤を含む水性の繊維加工助剤を噴霧する様子を示した図であり、（Ｂ）は図２（Ａ）におけるＢ部を拡大した概念図である。
【図３】（Ａ）は実施例に係る衣類を得るために好ましい一般家庭用簡易型バキュウム補助装置付きアイロン台の斜視図、（Ｂ）は図３（Ａ）におけるＢ−Ｂ線に沿う断面図、（Ｃ）は付属の水滴溜タンクの斜視図、（Ｄ）は、図３（Ｃ）におけるＤ−Ｄ線に沿う断面図である。
【図４】（Ａ）は図３に係る一般家庭用簡易型バキュウム補助装置付きアイロン台を用いて、衣類の風合いを復元させる様子を示す図、（Ｂ）はバキュウム吸引管７ａと水滴回収ホース１２との接続部の拡大斜視図、（Ｃ）は継ぎ手の斜視図である。
【図５】（Ａ）は衣類の風合いを復元させる工程を模式的に説明する図であり、（Ｂ）は毛細管現象により水性の加工処理剤が浸透する直前の状態を示す図、（Ｃ）は繊維の芯ができるメカニズムを示す図であり、（Ｄ）は新品購入時の風合いが復元した衣類を示す。
【図６】従来のアイロンがけの様子を示す図である。
【考案を実施するための形態】
【００１４】
洗濯後の衣類を新品の風合いに近い状態に復元させた衣類を得るという目的を、風合い加工助剤を含む水性の繊維加工助剤を、衣類の繊維内に毛細管現象により浸透させて、該繊維を構成する高分子物質に吸着させて、繊維の芯を形成することによって実現した。以下、この考案の実施例を図を用いて説明する。なお、各図中、同一又は相当する部分には同一の参照番号を付し、その説明を繰り返さない。
【実施例１】
【００１５】
図１（Ａ）は、実施例に係る、洗濯後の衣類を新品の風合いに近い状態に復元させた衣類３２の正面図である。図１（Ａ）におけるＢ部分を拡大した図１（Ｂ）に示すように、風合い加工助剤を含む水性の繊維加工助剤３３が、衣類３２の繊維３４内に毛細管現象により浸透して、該繊維３４を構成する高分子物質３５に吸着され、繊維の芯３６を形成している。
【００１６】
繊維などの高分子物質中で，分子が集合配列して結晶状になっている部分をミセルといい、繰り返しの洗濯によって、このミセルが徐々に解かれることにより風合いが劣化するのであるが、考案者は、風合いが劣化した衣類であっても、風合い加工助剤を含む水性の繊維加工助剤３３が、繊維３４を構成する高分子物質３５に吸着されて芯３６を形成すると、初期のミセルに類似する集合配列が回復し、風合いが元通りに復元することを見出した。なお、単に繊維３４の表面に風合い加工助剤を含む水性の繊維加工助剤３３が付着するのみでは、このような芯３６は形成されないので、初期の風合いは復元しないことも確認された。
【００１７】
次に説明する風合い加工助剤を含む水性の繊維加工助剤３３と、好ましくは後述する特殊なアイロン台を用いることによって、風合い加工助剤を含む水性の繊維加工助剤３３を、繊維３４内に毛細管現象により浸透させて、該繊維３４を構成する高分子物質３５に吸着させ、繊維の芯３６を形成することによって、初期の風合いが復元するのである。図を用いてさらに詳しく説明する。
【００１８】
まず、図２（Ａ）に示すように、洗濯後の水分を含む衣類３７を準備する。洗濯後の水分を含む衣類３７は、図２（Ｂ）に示すように、繰り返しの洗濯によって、繊維３４を構成する高分子物質３５のミセルの集合配列が解かれて、新品購入時の風合いが劣化している。風合いが劣化した衣類３７をハンガー（図示を省略する）に架けて、風合い加工助剤を含む水性の繊維加工助剤３３をスプレー３８を用いて噴霧し、完全乾燥させる。ハンガーに架けてスプレーするだけとしたのは、コストと簡便さを考慮したためで、また使用者の好みにより、自分好みの風合いが演出できるようにしたものである。風合い加工助剤を含む水性の繊維加工助剤３３には、株式会社「匠システム」製、「仕上げ名人」（風合い加工助剤、消臭剤、色上げ剤、ハリ剤及び抗菌剤の混合物を界面活性剤を用いてエマルジョン化したもの）の原液を水で５０倍に薄めて用いた。この繊維加工助剤３３は水性であるので、油性のものとは違い、家庭で容易に使用することができる。
【００１９】
次に、図３（Ａ）〜（Ｄ）に示すような、一般家庭用簡易型バキュウム補助装置付きアイロン台（登録実用新案３２０３０１９号）を準備する。一般家庭用簡易型バキュウム補助装置付きアイロン台は、アイロン台８と水滴溜タンク１１とを備える。アイロン台８は、上面がメッシュにされた空洞の箱６からなり、該箱６の中のスチームを外部に排出するためのバキュウム吸引口７を有する。水滴溜タンク１１は吸い込み口９と排気口１０を有し、排出されたスチームを水滴にして回収する。バキュウム吸引口７からバキュウム吸引管７ａが延びている。
【００２０】
図４（Ａ）に示すように、バキュウム吸引管７ａと水滴溜タンク１１の吸い込み口９は水滴回収用ホース１２で接続され、水滴溜タンク１１の排気口１０は吸引ホース１３を介して吸引機１４、例えば一般家庭用掃除機に接続される。吸引機１４のプラグ２１はスイッチ付きコンセント２２に差し込まれ、スイッチ付きコンセント２２は電源プラグ２３を介して電源コンセント２４に接続される。
【００２１】
上記一般家庭用簡易型バキュウム補助装置付きアイロン台の構造をさらに詳しく説明する。
【００２２】
図３（Ｂ）は、図３（Ａ）におけるＢ−Ｂ線に沿う断面図である。アイロン台８の上面は、メッシュ板（針金）１５とバキュウム調整クッション（耐熱性不織布）１６とカバー（布）１７の積層体を含む。アイロン台８の下部は、ステンレスまたは鉄製のパン（受け皿）１８で形成されている。パン１８は、折り畳み可能な脚２７で下から支えられている。アイロン台８と脚２７は一体化している。
【００２３】
図３（Ｄ）の断面図に示すように、水滴溜タンク１１は分離可能な蓋部２５と本体部２６からなる。蓋部２５は本体部２６に上から被さっているだけである。本体部２６に溜まった水は、蓋部２５を開けて取り出され、外部に廃棄される。
【００２４】
図４（Ａ）に示すように、アイロン台８のバキュウム吸引管７ａと水滴回収用ホース１２は、汎用の継ぎ手２８で接続される。図４（Ｃ）は、継ぎ手２８の斜視図である。
【００２５】
次に本考案に係る風合いを復元させた衣類が得られる動作を説明する。
【００２６】
図４（Ａ）及び図５（Ａ）を参照して、スイッチ付きコンセント２２のスイッチ２２ａをオンにし、吸引機１４を駆動させて、スチームアイロン２を用いて、繊維加工助剤を含ませた衣類３７にアイロンがけをする。アイロンかけ時にスチームアイロン２から発生したスチーム５は、吸引機１４の吸引力に引かれて衣類３７を通過する。衣類３７を通過した古いスチーム５は、アイロン台８の上面を形成するカバー１７、バキュウム調整クッション１６及びメッシュ板１５を通って、バキュウム吸引口７から水滴回収用ホース１２を通って水滴溜タンク１１に送られ水滴として回収される。このとき、余剰の水性加工助剤も回収される。
【００２７】
スチーム５が洗濯後の衣類３７を通過するときに、次の作用効果が生じている。すなわち、図５（Ｂ）に示すように、繊維加工助剤を含ませた衣類３７をバキュウム１４で引くことにより、風合い加工助剤を含む水性の繊維加工助剤３３が、繊維３４内に毛細管現象により浸透する。スチームの熱により、図５（Ｃ）に示すように、風合い加工助剤を含む水性の繊維加工助剤３３が、繊維を構成する高分子物質３５に吸着されて固定され、繊維の芯３６を形成する。芯３６が形成されると、初期のミセルに類似する集合配列が実現し、図５（Ｄ）に示すように、新品購入時の風合いが元通りに復元した衣類３２が得られるのである。
【００２８】
アイロンがけを終えると、スイッチ付きコンセント２２のスイッチ２２ａをオフにする。
【００２９】
なお、上記実施例では、特殊な一般家庭用簡易型バキュウム補助装置付きアイロン台を用いる場合を例示したが、この考案はこれに限られるものでなく、従来のスチームアイロン台を用いても相当の効果を奏する。
【００３０】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３１】
本考案に係る衣類によれば、風合い加工助剤を含む水性の繊維加工助剤が、洗濯後の衣類の繊維を構成する高分子物質に吸着されて芯を形成するので、風合いが元通りに復元する。
【符号の説明】
【００３２】
１，８ アイロン台
２     スチームアイロン
３     衣類
５     スチーム
６     空洞の箱
７     バキュウム吸引口
７ａ   バキュウム吸引管
９     吸い込み口
１０   排気口
１１   水滴溜タンク
１２   水滴回収用ホース
１３   吸引ホース
１４   吸引機
１５   メッシュ板
１６   バキュウム調整クッション
１７   カバー
１８   パン
１９   取っ手
２１   吸引機のプラグ
２２   スイッチ付きコンセント
２２ａ スイッチ
２３   電源プラグ
２４   電源用コンセント
２５   蓋部
２６   本体部
２７   脚
２８   継ぎ手
２９   孔
３０   スチーム吸収管
３２   新品購入時の風合いを復元させた衣類
３３   風合い加工助剤を含む水性の繊維加工助剤
３４   繊維
３５   高分子物質
３６   芯
３７   洗濯後の水分を含む衣類
３８   スプレー
【図１】
0003204255.tif 000003
【図２】
0003204255.tif 000004
【図３】
0003204255.tif 000005
【図４】
0003204255.tif 000006
【図５】
0003204255.tif 000007
【図６】
0003204255.tif 000008